(57)【要約】【課題】  作業者への負担を軽減して適正にワイヤーの引き上げ等を行えるようにする、フロート式水位計用補助具を提供する。【解決手段】  滑車１０４に掛けられたワイヤー１０５の一端にウエイト１０１が配設され他端にフロート１０２が配設されたフロート式水位計１００の、ウエイト１０１またはフロート１０２を引き上げるためのフロート式水位計用補助具１であって、フロート式水位計１００の周囲の外部部材に仮固定される仮固定部材２と、仮固定部材２に配設された補助滑車３と、を備え、仮固定部材２を外部部材に仮固定し、ワイヤー１０５を補助滑車３に掛けて横方向に引き出すことで、ウエイト１０１またはフロート１０２が引き上げられる。【選択図】  図１
2020003298.tif 000002
【特許請求の範囲】
【請求項１】
滑車に掛けられたワイヤーの一端にウエイトが配設され、前記ワイヤーの他端にフロートが配設されたフロート式水位計の、前記ウエイトまたは前記フロートを引き上げるためのフロート式水位計用補助具であって、
前記フロート式水位計の周囲の外部部材に仮固定される仮固定部材と、
前記仮固定部材に配設された補助滑車と、を備え、
前記仮固定部材を前記外部部材に仮固定し、前記ワイヤーを前記補助滑車に掛けて横方向に引き出すことで、前記ウエイトまたは前記フロートが引き上げられる、
ことを特徴とするフロート式水位計用補助具。
【請求項２】
前記仮固定部材に連結された棒状の支持部材を備え、
床体を前記外部部材として、前記仮固定部材を前記床体に配置して前記支持部材を保持することで、前記仮固定部材が前記床体に仮固定される、
ことを特徴とする請求項１に記載のフロート式水位計用補助具。
【請求項３】
前記支持部材は、前記仮固定部材からの突出角度が調整可能となっている、
ことを特徴とする請求項１または２のいずれか１項に記載のフロート式水位計用補助具。
【請求項４】
前記仮固定部材は、前記フロート式水位計を覆う収容庫を前記外部部材として、仮固定可能となっている、
ことを特徴とする請求項１に記載のフロート式水位計用補助具。
【発明の詳細な説明】
【技術分野】
【０００１】
この発明は、フロート式水位計を点検や清掃する際に使用するフロート式水位計用補助具に関する。
【背景技術】
【０００２】
河川やダムなどの水位を正確に計測する装置の１つとして、フロート式水位計が知られている（例えば、特許文献１参照。）。このフロート式水位計は、プーリー（滑車）に掛けられたワイヤーの一端にウエイト（錘）が配設され、ワイヤーの他端にフロート（浮遊体）が配設されている。そして、フロートが水に浮き、ウエイトによってワイヤーが張られた状態で水位が変化すると、その変化に伴ってフロートが上下動し、このフロートの位置に基づいて水位を計測するものである。
【０００３】
また、水面から水中に防波管が配置され、この防波管内にワイヤーおよびウエイトとフロートとが配設されている。さらに、防波管の上方とプーリーを覆う小屋状の収容庫（架台）が設けられている。
【先行技術文献】
【特許文献】
【０００４】
【特許文献１】特開２００７−７８５６１号公報
【発明の概要】
【発明が解決しようとする課題】
【０００５】
ところで、上記のようなフロート式水位計を点検したり清掃したりする際には、従来、作業者が収容庫に入ってウエイトやフロートを引き上げる必要がある。つまり、狭い収容庫のなかで、ワイヤーを手繰り寄せてウエイトやフロートを引き上げて点検等したり、ワイヤーを手繰り下ろしてウエイトやフロートを下げたりしなければならず、作業者に多大な負担を与えていた。
【０００６】
また、狭い収容庫のなかで姿勢が悪い状態で作業を行わなければならないことから、次のような問題が生じるおそれがあった。第１に、水位測定範囲が広い（ワイヤーが長い）場合、長くワイヤーを引き上げたり引き下げたりしなければならず、疲労によって途中でワイヤーを落下させてしまうおそれがあった。第２に、ワイヤーの引き上げや引き下げを急激に行うことで、ワイヤーがプーリーから外れるおそれがあった。第３に、防波管の上部端縁（ハンチ部）にワイヤーが接触した状態でワイヤーを引き上げたり引き下げたりすると、ワイヤーが摩耗、損傷してしまうおそれがあった。
【０００７】
そこでこの発明は、作業者への負担を軽減して適正にワイヤーの引き上げ等を行えるようにする、フロート式水位計用補助具を提供することを目的とする。
【課題を解決するための手段】
【０００８】
上記課題を解決するために、請求項１の発明は、滑車に掛けられたワイヤーの一端にウエイトが配設され、前記ワイヤーの他端にフロートが配設されたフロート式水位計の、前記ウエイトまたは前記フロートを引き上げるためのフロート式水位計用補助具であって、前記フロート式水位計の周囲の外部部材に仮固定される仮固定部材と、前記仮固定部材に配設された補助滑車と、を備え、前記仮固定部材を前記外部部材に仮固定し、前記ワイヤーを前記補助滑車に掛けて横方向に引き出すことで、前記ウエイトまたは前記フロートが引き上げられる、ことを特徴とする。
【０００９】
この発明によれば、仮固定部材を外部部材に仮固定し、ワイヤーの一端側を補助滑車に掛けて横方向に外側に引き出すことで、ウエイトが引き上げられ、ワイヤーの他端側を補助滑車に掛けて横方向に外側に引き出すことで、フロートが引き上げられる。その後、仮固定部材を外部部材に仮固定し、ワイヤーの一端側を補助滑車に掛けて横方向に内側（滑車側）に押し出すことで、ウエイトが引き下げられ、ワイヤーの他端側を補助滑車に掛けて横方向に内側に押し出すことで、フロートが引き下げられる。
【００１０】
請求項２の発明は、請求項１に記載のフロート式水位計用補助具において、前記仮固定部材に連結された棒状の支持部材を備え、床体を前記外部部材として、前記仮固定部材を前記床体に配置して前記支持部材を保持することで、前記仮固定部材が前記床体に仮固定される、ことを特徴とする。
【００１１】
請求項３の発明は、請求項１または２に記載のフロート式水位計用補助具において、前記支持部材は、前記仮固定部材からの突出角度が調整可能となっている、ことを特徴とする。
【００１２】
請求項４の発明は、請求項１に記載のフロート式水位計用補助具において、前記仮固定部材は、前記フロート式水位計を覆う収容庫を前記外部部材として、仮固定可能となっている、ことを特徴とする。
【発明の効果】
【００１３】
請求項１の発明によれば、ワイヤーを補助滑車に掛けて横方向に引き出したりすることで、ウエイトやフロートを引き上げたりすることができる。つまり、作業者が収容庫のなかに入ることなく、収容庫の外からワイヤーを引き出したりすればよいため、作業者に大きな負担を与えることなく、容易にワイヤーの引き上げ等を行うことが可能となる。
【００１４】
そして、収容庫の外という広い空間で作業を行えることから、楽な姿勢で全身を使って適正にワイヤーの引き上げ等を行うことが可能となる。この結果、例えば、長くワイヤーを引き上げたり引き下げたりしなければならない場合でも、疲労が軽減され、途中でワイヤーを落下させてしまうのを防止、抑制することが可能となる。また、ワイヤーの引き上げや引き下げを急激に行うことによってワイヤーが滑車から外れるのを防止、抑制することが可能となる。さらに、引き上げや引き下げの途中でワイヤーが補助滑車で支持されるため、防波管の上部端縁にワイヤーが接触して摩耗、損傷するのを防止、抑制することが可能となる。
【００１５】
請求項２の発明によれば、仮固定部材を床体に配置して棒状の支持部材を手などで保持するだけで、仮固定部材が床体（外部部材）に仮固定されるため、周囲環境によらず（収容庫などの外部部材に仮固定できない場合でも）、確実かつ容易に仮固定部材を外部部材に仮固定させることが可能となる。この結果、周囲環境によらず、作業者への負担を軽減して、適正にワイヤーの引き上げ等を行うことが可能となる。また、仮固定部材に棒状の支持部材が連結されただけの簡易な構成のため、容易かつ低コストで製作することが可能となるとともに、保守や取り扱いが容易となる。
【００１６】
請求項３の発明によれば、仮固定部材に対する支持部材の突出角度が調整可能なため、周囲環境や作業者の背丈などに応じて突出角度を調整することで、より適正かつ容易に支持部材を保持することが可能となる。この結果、作業者への負担をより軽減して、適正にワイヤーの引き上げ等を行うことが可能となる。
【００１７】
請求項４の発明によれば、フロート式水位計の収容庫に仮固定部材を仮固定可能なため、仮固定部材を収容庫に仮固定することで、作業者が仮固定部材つまり本補助具を保持する必要がない。このため、作業者への負担をより軽減して、適正にワイヤーの引き上げ等を行うことが可能となる。
【図面の簡単な説明】
【００１８】
【図１】この発明の実施の形態１に係るフロート式水位計用補助具の使用状態を示す正面図である。
【図２】図１のフロート式水位計用補助具の正面図である。
【図３】図２のフロート式水位計用補助具の平面図である。
【図４】この発明の実施の形態に係る収容庫を示す正面図である。
【図５】この発明の実施の形態２に係るフロート式水位計用補助具を示す正面図（ａ）と平面図（ｂ）である。
【図６】図４の収容庫のドアを開けた状態を示す斜視図である。
【図７】図４の収容庫の下端縁部を示す断面図（図６のＡ−Ａ断面図）である。
【発明を実施するための形態】
【００１９】
以下、この発明を図示の実施の形態に基づいて説明する。
【００２０】
（実施の形態１）
図１〜図４は、この実施の形態を示し、図２および図３は、この実施の形態に係るフロート式水位計用補助具１を示す正面図と平面図である。このフロート式水位計用補助具１は、フロート式水位計１００のウエイト１０１またはフロート１０２を引き上げたり引き下げたりするための補助具である。
【００２１】
ここで、フロート式水位計１００は、図１に示すように、側面に多くの通水孔が設けられた防波管１０３の上方（後述する収容庫１１０の上部）に、プーリー（滑車）１０４が配設されている。このプーリー１０４に掛けられたワイヤー１０５の一端にウエイト（錘）１０１が配設され、ワイヤー１０５の他端にフロート（浮遊体）１０２が配設されている。そして、フロート１０２が水に浮き、ウエイト１０１によってワイヤー１０５が張られた状態で水位が変化すると、その変化に伴ってフロート１０２が上下動し、このフロート１０２の位置に基づいて水位を計測するものである。
【００２２】
また、水面から水中に配置された防波管１０３内に、ワイヤー１０５およびウエイト１０１とフロート１０２とが配設されている。さらに、このようなフロート式水位計１００が小屋状の収容庫１１０で覆われている。この収容庫１１０は、図４に示すように、略直方体で床体１２０上に配設され、ドア１１１を開けると表面側１１０ａが開放されるようになっている。また、収容庫１１０が配置されている床体１２０の部位（収容庫１１０の真下）には、開口１２０ａが設けられ、この開口１２０ａを介して防波管１０３が配設されている。
【００２３】
フロート式水位計用補助具１は、主として、仮固定部材２と、補助滑車３と、支持部材４と、を備える。
【００２４】
仮固定部材２は、フロート式水位計１００の周囲の外部部材に仮固定される部材であり、この実施の形態では、床体１２０を外部部材として仮固定されるようになっている。すなわち、図２、図３に示すように、棒状体で、水平に延びる水平部２１と、この水平部２１の一端から斜め下方に延びる傾斜部２２と、を備える。
【００２５】
また、水平部２１の下面には、断面がＬ字状で棒状のストッパー２３が、水平部２１と直交し、かつ、一辺が水平部２１に対して垂直に延びるように、配設されている。そして、図１に示すように、床体１２０の開口１２０ａの縁にストッパー２３を当てて、水平部２１を床体１２０に配置した状態で、傾斜部２２つまり後述する補助滑車３がワイヤー１０５側に突出するように、仮固定部材２の形状が設定されている。
【００２６】
補助滑車３は、仮固定部材２に配設され、ワイヤー１０５を掛けられる滑車である。すなわち、仮固定部材２の傾斜部２２の上面に、その回転軸が仮固定部材２の軸線と直交し、上記のように、仮固定部材２を床体１２０に配置した状態でワイヤー１０５を掛けられるように配設されている。具体的に、この実施の形態では、仮固定部材２を床体１２０に配置することで、補助滑車３がワイヤー１０５に接触して、ワイヤー１０５を補助滑車３に掛けられるようになっている。
【００２７】
そして、後述するようにして仮固定部材２を床体１２０に仮固定した状態で、図１に示すように、ワイヤー１０５を補助滑車３に掛けて横方向に外側（収容庫１１０の外側）に引き出すことで、ウエイト１０１またはフロート１０２が引き上げられる。同様に、引き出したワイヤー１０５を補助滑車３に掛けて横方向に内側（収容庫１１０の内側）に押し出すことで、ウエイト１０１またはフロート１０２が引き下げられる。
【００２８】
支持部材４は、仮固定部材２に連結された棒状の部材で、仮固定部材２からの突出角度が調整可能となっており、この実施の形態では、連結板５を介して仮固定部材２に連結されている。すなわち、連結板５は、図２に示すように、略９０°の扇状の平板で、その板面が仮固定部材２の軸線と平行し、かつ、水平な辺が水平部２１の下面と面一になるように、水平部２１の他端に配設されている。また、連結板５の板面には、直角部を中心とする円弧状のスリット（長孔）５１が形成されている。
【００２９】
そして、支持部材４の長尺状の主体４１の一端部が、連結板５の直角部に回転軸４２を介して回転自在に連結されている。これにより、主体４１が仮固定部材２の水平部２１の軸線と平行に延び、かつ、水平部２１の軸線と直交する回転軸４２を中心に主体４１が回転し、水平部２１からの突出角度（水平に対する角度）が調整可能となっている。
【００３０】
また、主体４１の回転軸４２側にはネジ孔が形成され、止めネジ４３をスリット５１に挿入してネジ孔に締め付けることで、主体４１が連結板５に固定される（回転止めされる）ようになっている。一方、主体４１の他端部には、主体４１に対して垂直に延びるハンドル４４が配設されている。そして、図１に示すように、仮固定部材２の水平部２１を床体１２０に配置して、支持部材４のハンドル４４を保持することで、仮固定部材２が床体１２０に仮固定される。
【００３１】
次に、このような構成のフロート式水位計用補助具１の使用方法、作用などについて説明する。ここで、作業に先立って、周囲環境や副作業者Ｍ２の背丈などに応じて、仮固定部材２に対する支持部材４の突出角度を調整する。つまり、止めネジ４３を緩めて主体４１を所望の角度に回転させ、止めネジ４３を締め付けて主体４１を回転止めする。
【００３２】
点検や清掃などを行うために、ウエイト１０１とフロート１０２を引き上げるには、まず、収容庫１１０のドア１１１を開け、図１に示すように、床体１２０の開口１２０ａの縁に仮固定部材２のストッパー２３を当てて、水平部２１を床体１２０に配置し、副作業者Ｍ２が支持部材４のハンドル４４を保持して仮固定部材２を床体１２０に仮固定させる。これにより、補助滑車３がワイヤー１０５側に突出し、主作業者Ｍ１がワイヤー１０５の一端側（プーリー１０４で二分された一方のワイヤー１０５）を補助滑車３に掛けて横方向に外側（反防波管１０３側）に引き出すことで、ウエイト１０１を引き上げる。この際、主作業者Ｍ１は、収容庫１１０のなかに入ることなく、収容庫１１０の外からワイヤー１０５を収容庫１１０の外側に引き出せばよい。同様に、収容庫１１０の外からワイヤー１０５の他端側（プーリー１０４で二分された他方のワイヤー１０５）を補助滑車３に掛けて横方向に外側に引き出すことで、フロート１０２を引き上げる。
【００３３】
次に、ウエイト１０１とフロート１０２に対する点検や清掃などが完了した後に、ウエイト１０１とフロート１０２を引き下げるには、まず、上記と同様にして、仮固定部材２を床体１２０に仮固定させる。続いて、主作業者Ｍ１がワイヤー１０５の一端側を補助滑車３に掛けて横方向に内側（防波管１０３側）に押し出すことで、ウエイト１０１を引き下げる。この際、主作業者Ｍ１は、収容庫１１０のなかに入ることなく、収容庫１１０の外からワイヤー１０５を収容庫１１０の内側に押し出せばよい。同様に、収容庫１１０の外からワイヤー１０５の他端側を補助滑車３に掛けて横方向に内側に押し出すことで、フロート１０２を引き下げる。
【００３４】
このように、このフロート式水位計用補助具１によれば、ワイヤー１０５を補助滑車３に掛けて横方向に引き出したりすることで、ウエイト１０１やフロート１０２を引き上げたりすることができる。つまり、主作業者Ｍ１が収容庫１１０のなかに入ることなく、収容庫１１０の外からワイヤー１０５を引き出したりすればよいため、主作業者Ｍ１に大きな負担を与えることなく、容易にワイヤー１０５の引き上げ等を行うことが可能となる。
【００３５】
そして、収容庫１１０の外という広い空間で作業を行えることから、楽な姿勢で全身を使って適正にワイヤー１０５の引き上げ等を行うことが可能となる。この結果、例えば、長くワイヤー１０５を引き上げたり引き下げたりしなければならない場合でも、疲労が軽減され、途中でワイヤー１０５を落下させてしまうのを防止、抑制することが可能となる。また、疲労しないようにワイヤー１０５の引き上げや引き下げを急激に行うことによって、ワイヤー１０５がプーリー１０４から外れるのを防止、抑制することが可能となる。さらに、引き上げや引き下げの途中でワイヤー１０５が補助滑車３で支持されるため（補助滑車３が開口１２０ａや防波管１０３の端縁よりも内側に位置するため）、防波管１０３の上部端縁にワイヤー１０５が接触して摩耗、損傷するのを防止、抑制することが可能となる。
【００３６】
また、仮固定部材２を床体１２０に配置して棒状の支持部材４を手などで保持するだけで、仮固定部材２が床体（外部部材）１２０に仮固定されるため、周囲環境によらず（収容庫１１０などの外部部材に仮固定できない場合でも、床は必ず存在するため）、確実かつ容易に仮固定部材２を外部部材に仮固定させることが可能となる。この結果、周囲環境によらず、作業者への負担を軽減して、適正にワイヤー１０５の引き上げ等を行うことが可能となる。また、仮固定部材２に棒状の支持部材４が連結されただけの簡易な構成のため、容易かつ低コストで製作することが可能となるとともに、保守や取り扱いが容易となる。
【００３７】
しかも、仮固定部材２に対する支持部材４の突出角度が調整可能なため、周囲環境や作業者の背丈などに応じて突出角度を調整することで、より適正かつ容易に支持部材４を保持することが可能となる。この結果、作業者への負担をより軽減して、適正にワイヤー１０５の引き上げ等を行うことが可能となる。
【００３８】
（実施の形態２）
図５〜図７は、この実施の形態を示し、この実施の形態では、フロート式水位計１００を覆う収容庫１１０を外部部材として仮固定部材２が仮固定可能となっている点で実施の形態１と構成が異なり、実施の形態１と同等の構成については、同一符号を付することでその説明を省略する。
【００３９】
この実施の形態におけるフロート式水位計用補助具１０は、図５に示すように、仮固定部材２の水平部２１の他端側に、２つの挟持板６１、６２からなる挟持体６が配設されている。すなわち、挟持板６１、６２は、帯板状で、水平部２１と直交し、かつ、板面が水平部２１に対して垂直に延びるように、配設されている。また、補助滑車３から遠い第２の挟持板６２には、２つの仮固定ネジ６３が螺合されている。
【００４０】
一方、収容庫１１０は、図６に示すように、ドア１１１を開けて表面側１１０ａを開放した状態で、下部に、図７に示すような断面がＬ字状の下端縁部１１２が露出する。この下端縁部１１２は、収容庫１１０の下部の四角い枠を構成する一辺であり、垂直部１１２ａが略垂直に立ち上がり、水平部１１２ｂが略水平に延びている。
【００４１】
また、第１の挟持板６１と第２の挟持板６２との隙間は、下端縁部１１２の垂直部１１２ａの厚みよりもやや大きく設定されている。そして、第１の挟持板６１と第２の挟持板６２との間に垂直部１１２ａを挿入して仮固定ネジ６３を締め付けることで、仮固定部材２つまりフロート式水位計用補助具１０が収容庫１１０の下端縁部１１２に仮固定されるものである。また、このような仮固定状態では、実施の形態１と同様に、補助滑車３がワイヤー１０５に接触して、ワイヤー１０５を補助滑車３に掛けられるようになっている。
【００４２】
このような実施の形態によれば、フロート式水位計１００の収容庫１１０に仮固定部材２を仮固定可能なため、仮固定部材２を収容庫１１０に仮固定することで、作業者が仮固定部材２つまり本フロート式水位計用補助具１０を保持する必要がない。このため、作業者への負担をより軽減して、適正にワイヤー１０５の引き上げ等を行うことが可能となる。また、長い支持部材４を有さないため、全体がコンパクトになり、取り扱いや運搬、保管などがし易くなる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、床体１２０の開口１２０ａの縁に仮固定部材２のストッパー２３を当てているが、その他の部材にストッパー２３を当ててもよいし、ストッパー２３を設けずに仮固定部材２を床体１２０に配置、仮固定してもよい。また、床体１２０や収容庫１１０を外部部材として仮固定部材２を仮固定しているが、その他の部材を外部部材として仮固定してもよい。
【符号の説明】
【００４４】
１、１０  フロート式水位計用補助具
２        仮固定部材
３        補助滑車
４        支持部材
５        連結板
６        挟持体
６１、６２  挟持板
６３      仮固定ネジ
１００    フロート式水位計
１０１    ウエイト
１０２    フロート
１０３    防波管
１０４    プーリー（滑車）
１０５    ワイヤー
１１０    収容庫（外部部材）
１２０    床体（外部部材）
Ｍ１、Ｍ２  作業者
【図１】
2020003298.tif 000003
【図２】
2020003298.tif 000004
【図３】
2020003298.tif 000005
【図４】
2020003298.tif 000006
【図５】
2020003298.tif 000007
【図６】
2020003298.tif 000008
【図７】
2020003298.tif 000009